(57)【要約】
【課題】バイパスインタフェースを有するスルセキュアリング装置に関し、特に、電子デバイスに設けられるコネクタに接続られ、外側に少なくとも一つの利用できる接続手段があるものに関する。
【解決手段】　コネクタ１０に電気接続され、バイパスインタフェースを有するバイパス２０と、接続手段１２に接続され、該バイパス２０が、利用できる電子デバイスの前記コネクタ１０に接続された後、前記コネクタ１０から離脱することを防止する、少なくとも一つの固定具２４と分離可能に前記バイパス２０にロックされ、前記固定具２４が接続手段１２から外れるのを防止する、ロックメカニズム３０と、前記ロックメカニズム３０とバイパス２０との結合を維持する接続部材とを有するセキュアリング装置２である。
【選択図】　　図２
0003099606.tif 000002
【実用新案登録請求の範囲】
【請求項１】
バイパスインタフェースを有し、電子デバイスに設けられたコネクタに接続され、外側に少なくとも一つの利用できる接続手段を有するセキュアリング装置であって、
　前記コネクタに電気接続され、バイパスインタフェースを有するバイパスと、
接続手段に接続され、該バイパスが、利用できる電子デバイスの前記コネクタに接続された後、前記コネクタから外れることを防止する少なくとも一つの固定具と、
　分離可能で前記バイパスにロックされ、前記固定具が接続手段からの離脱を防止するロックメカニズムと、
　前記ロックメカニズムと前記バイパスとの結合を維持する接続部材とを有することを特徴するバイパスインタフェース付きのセキュアリング装置。
【請求項２】
前記接続手段にはねじ穴が含まれ、前記固定具には、前記ねじ穴と螺合するボルトが含まれる、ことを特徴する請求項１記載のバイパスインタフェース付きのセキュアリング装置。
【請求項３】
前記ロックメカニズムには、前記ボルトを覆う凹み穴が設置されるハウジングが形成されていることを特徴する請求項２記載のバイパスインタフェース付きのセキュアリング装置。
【請求項４】
一方のボルトとロックメカニズムとが、凹みを形成し、もう一方のボルトとロックメカニズムとが、ラッチを形成し、ロックメカニズムが前記バイパスにロックされた時、前記ラッチが前記凹みに係合されることを特徴する請求項３記載のバイパスインタフェース付きのセキュアリング装置。
【請求項５】
一方の前記バイパスと前記ロックメカニズムとが、凹みを形成し、もう一方の前記バイパスと前記ロックメカニズムとが、ラッチを形成し、ロックメカニズムが前記バイパスにロックされた時、前記ラッチが前記凹みに係合されるようになっていることを特徴する請求項２記載のバイパスインタフェース付きのセキュアリング装置。
【請求項６】
前記ハウジングには、第１のロックホールが形成され、バイパスには、フランジが延びていて、前記フランジには、前記第１のロックホールと相互に係合する第２のロックホールが形成され、ロックメカニズムが前記バイパスにロックされた時、前記二つのロックホールが南京錠の貫通を許して、ハウジングか前記フランジから分離することを防止する、ことを特徴する請求項３記載のバイパスインタフェース付きのセキュアリング装置。
【請求項７】
前記接続手段には、フープがあり、前記固定具には、前記フープと掛合するスロットがある、ことを特徴する請求項１記載のバイパスインタフェース付きのセキュアリング装置。
【請求項８】
前記ロックメカニズムには、ハウジングと、ハウジングから突出するストッパ部とがあり、ロックメカニズムが前記バイパスにロックされた時、前記ストッパ部は、前記フープと前記スロットとの分離を制限する、ことを特徴する請求項７記載のバイパスインタフェース付きのセキュアリング装置。
【請求項９】
前記バイパスには、凹みが設けられ、前記ロックメカニズムには、ラッチがあり、ロックメカニズムが前記バイパスにロックされた時、前記ラッチが前記凹みに係着することを特徴する請求項８記載のバイパスインタフェース付きのセキュアリング装置。
【請求項１０】
前記凹みは、前記バイパスから突出する突出柱に形成されることを特徴する請求項９記載のバイパスインタフェース付きのセキュアリング装置。
【請求項１１】
前記バイパスインタフェースと前記コネクタとは、互換性のある伝送インタフェース規格を有することを特徴する請求項１記載のバイパスインタフェース付きのセキュアリング装置。
【請求項１２】
前記バイパスには、前記コネクタと一対一に対応するコネクタがあることを特徴する請求項１記載のバイパスインタフェース付きのセキュアリング装置。
【請求項１３】
前記ロックメカニズムは、ダイヤル錠であることを特徴する請求項１記載のバイパスインタフェース付きのセキュアリング装置。
【請求項１４】
前記ロックメカニズムは、キーロックであることを特徴する請求項１記載のバイパスインタフェース付きのセキュアリング装置。
【請求項１５】
前記ロックメカニズムには、引き抜き式ロックと、前記引き抜き式ロックにロックされる南京錠とがあることを特徴する請求項１記載のバイパスインタフェース付きのセキュアリング装置。
【請求項１６】
前記ロックメカニズムには、回転ロックと、前記回転ロックにロックされる南京錠とがあることを特徴する請求項１記載のバイパスインタフェース付きのセキュアリング装置。
【請求項１７】
前記接続部材は、一端が固定物体に接続され、もう一端がバイパスに接続されることを特徴する請求項１記載のバイパスインタフェース付きのセキュアリング装置。
【請求項１８】
前記接続部材が前記固定物体に連設される一端には、リング体が形成され、前記リング体で、前記コネクタが設けられる電子デバイスを前記固定物体に固定することを特徴する請求項１７記載のバイパスインタフェース付きのセキュアリング装置。
【請求項１９】
前記接続部材は、ケーブルであることを特徴する請求項１８記載のバイパスインタフェース付きのセキュアリング装置。
【請求項２０】
前記接続部材は、鋼線であることを特徴する請求項１８記載のバイパスインタフェース付きのセキュアリング装置。
【考案の詳細な説明】
【技術分野】
【０００１】
　本考案は、バイパスインタフェース付きのセキュアリング（Ｓｅｃｕｒｉｎｇ）装置に関し、特に、コネクタが設けられる電子デバイスに接続され、外側に少なくとも一つの利用できる接続手段が設けられたものに関する。
【背景技術】
【０００２】
　電子デバイスの体積及び重量の軽量化及び薄型化に伴って、ノートブック型コンピュータやラップトップ型コンピュータや、他のコンパクトな電子デバイスは盗難に遭い易くなり、これはユーザーにとって大変なことである。
　既存のコンピュータには、ラップトップ型コンピュータやノートブック型コンピュータ１にしても、図１のように、多様な機能を持たせるため、周辺装置と接続するのに複数の規格の異なるコネクタ１０が設けられているのが一般的である。
　このような盗難を防止するためのロック機構の従来技術として、アメリカ合衆国特許第５,２１２,９２２号に電子デバイスに適用されるロック機構が提案されている。
【特許文献１】アメリカ合衆国　特許第５，２１２，９２２号
【考案の開示】
【考案が解決しようとする課題】
【０００３】
　しかし、上記のようなロック機構によれば、コネクタがロックされてしまうと、コネクタに備わった機能が一切利用できなくなる。したがって、コンピュータの盗難を防止するとともに、コンピュータによって提供されるコネクタにロックされたデバイス、例えば、ラインプリンタターミナル（ＬＰＴ）ポートや、パラレルポート及びマウスと接続されるシリアルポート等に対して、バイパスインタフェースを提供することが必要となる。
【０００４】
　本考案の主な目的は、上記の要求を満たすバイパスインタフェースを有するセキュアリング装置に関し、電子デバイスにあるコネクタに接続されるようになる少なくとも一つの利用可能な接続手段が外側にあるセキュアリング装置を提供するものである。
【課題を解決するための手段】
【０００５】
　前記セキュアリング装置は、前記コネクタに電気接続され、バイパスインタフェースを有するバイパスと、接続手段に接続され、前記バイパスが利用できる電子デバイスの前記コネクタに接続された後、前記コネクタから離脱（外れる）することを防止する少なくとも一つの固定具と、分離可能で前記バイパスにロックされ、前記固定具が接続手段から外れることを防止するロックメカニズムと、前記ロックメカニズムとバイパスとの結合を維持する接続部材と、を有する。
【０００６】
　本考案によれば、ロックメカニズムは、固定具が接続手段に接続されることにより、バイパスとコネクタとの接続関係を制限する。
　本考案の具体的な実施例によれば、このロックメカニズムは、固定具が接続手段から外れるのを防止するので、前記固定具は接続手段から分離することがない。具体的には、電子デバイスにあるコネクタは、固定物体に固定されるセキュアリング装置に設けた接続部材にロックされる構成である。
　本考案の実施例によれば、ロックされている状態でバイパスに接続されたコネクタでも、依然として、多様化に適用されるアクセサリや伝送線に接続できるようになる。
【０００７】
　本考案の構造や特徴は、以下の示す図を参照しながら、より良い実施例をもって詳しく説明することにより更に明確となろう。
【考案の効果】
【０００８】
　本考案によれば、接続ユニット４０は、バイパス２０やロックメカニズム３０に接続される、ケーブルや鋼線及びチェーン等は、容易に破壊されない接続ユニットであり、図９に示すように、その一端をリング体４２で固定物体７０に、例えば、卓の脚などに巻き回すことにより、コンピュータ１と固定物体７０とを一緒にロックするので、簡単に移動することができない。
　さらに、使用者は、バイパスインタフェース２９を介してコネクタ１０と電気接続できるので、もとのコネクタ１０の機能が維持できる効果がある。
【考案を実施するための最良の形態】
【０００９】
　本考案は、バイパスインタフェースを有し、電子デバイスに設けたコネクタに接続され、外側に少なくとも一つの接続手段１２を有するバイパスインタフェース付きのセキュアリング装置２を提供する。
　上記電子デバイスは、例えば、デスクトップ型コンピュータや、図１のようなノートブック型コンピュータ１等であるが、これに限定されない。
【実施例１】
【００１０】
　図２は、本考案の一つのより良い実施例の立体分解概念図で、図３は、組立図である。
　前記セキュアリング装置２には、電子デバイス１上のコネクタ１０と電気接続され、伝送線２７を介してバイパス２０と電気接続するバイパスインタフェース２９を有するバイパス２０と、バイパス２０がコネクタ１０に接続された後、接続手段１２を固定する少なくとも一つの固定具２４と、分離可能で、バイパス２０にロックされ、固定具２４が接続手段１２から分離することを防止するロックメカニズム３０と、ロックメカニズム３０とバイパス２０との組み合わせを固定物体に接続する接続部材４０とがある(図９を参照)。
【００１１】
　好ましいのは、セキュアリング装置２には、少なくとも一つの固定具２４が設けらていることである。図２の実施例のセキュアリング装置２には、各々にバイパス２０の両側に二つの固定具２４が設けられている。図２、図３は、従来のＣＯＭポートに適用するセキュアリング装置が設けられた実施例である。
　従来のＣＯＭポートの接続手段１２に適用するため、一般的に二つの標準ねじ穴があり、前記各固定具２４は、二つの標準ねじ穴とそれぞれ螺合できるボルトからなり、バイパスインタフェース２９は、ＣＯＭポートコネクタと対応するインタフェース規格をもつのが好ましい。
【００１２】
　図４を参照して説明すると、前記ロックメカニズム３０には、ハウジング３１があり、ハウジング３１には、固定具２４を収納して覆う凹み穴３２が設けられている。
　設計や使用上に応じて、熟練者により、凹み穴３２がバイパス２０の一部を覆うようにした構成であっても良く、事実上、ハウジング３１は、完全に固定具２４を覆う必要がなく、接続手段１２から分離することを防止する目的が達成できれば良い。
【００１３】
　本考案によれば、固定具２４には、凹み２６が設けられ、また、ロックメカニズム３０には、凹み２６に係着するラッチ３４が配設されている。このより良い実施例において、ラッチ３４は球体であり、また、前記凹み２６は、前記球体の形状が係合する半球状の凹みであり、勿論、このラッチ３４と凹み２６は、適当な他の形状でもよく、特に制限されることはなく、ラッチ３４と係合する凹み２６をバイパス２０に設けて、ラッチ３４と凹み２６とを係合させるようにしてもよく、これは、当業者により、当然変更可能とされるものである。
【００１４】
　前記ロックメカニズム３０は、任意な形式のロックでもよく、例えば、図２乃至図５のダイヤル錠、電子ロック、又は図６，図１０，図１４，図１８のようなキーロック３５、引き抜き式ロック３０'、回転ロック３０"等で、ハウジング３１とバイパス２０とをロックするものであればよい。
　前記ロックメカニズム３０の具体的な構造は、このより良い実施例によって制限されるものではない。また、図３乃至図１８のダイヤル錠やキーロック、引き抜き式ロック及び回転ロックの開錠及び施錠操作は、この技術に精通する当業者であれば、充分理解可能な構成であり、ここでは詳しい説明を省略する。
【００１５】
　本考案のより良い第１実施例において利用されるロックメカニズム３０と固定具２４との間のロック方式は、図４と図５の断面概念図を参照されたい。
　本考案の実施例において、ロックメカニズム３０が開錠状態である時には、制御ユニット３８がスプリング３７の作用を受けて、ラッチ３４に当接しておらず、ロックメカニズム３０のラッチ３４は、図４に示すように、実質的に自由に上下方向に移動できる。
　また、前記ロックメカニズム３０が施錠状態にある場合には、ラッチ３４が凹み２６内に係合されていて、図５に示すように、実質的に上下方向の移動が制御ユニット３８によって制限される。
【００１６】
　図２の第１実施例によれば、まず、バイパス２０とコネクタ１０とを接続してから、固定具２４をコネクタ１０の接続手段１２にロックし、その後、ロックメカニズム３０の凹み穴３２を、前記凹み２６がある固定具２４を覆うようにし、ロックメカニズム３０が所定の位置に位置決めされ後、ロックメカニズムが、図５の施錠状態に変換され、ラッチ３４は、凹み２６にロックされることにより、凹み２６から離れず、ロックメカニズム３０とバイパス２０とがロックされる状態になる。
　前記ロックメカニズム３０とバイパス２０とがロックされた後、バイパス２０の固定具２４が、ハウジング３１に覆われているため、ロックメカニズム３０が開錠状態に変換されない限り、ロックメカニズム３０とバイパス２０とを分離することができず、これにより、固定具２４に接触せず、バイパス２０は、コネクタ１０から分離しない。
【００１７】
　本考案によれば、接続ユニット４０は、バイパス２０やロックメカニズム３０に接続されるケーブルや鋼線及びチェーン等は、容易に破壊されない接続ユニットであり、図９のように、その一端をリング体４２で固定物体７０に、例えば、卓の脚に巻き回すことにより、コンピュータ１と固定物体７０とを一緒にロックしているから、簡単に移動することができない。さらに、使用者は、バイパスインタフェース２９を介してコネクタ１０と電気接続できるので、元のコネクタ１０の機能が維持できる。
【実施例２】
【００１８】
　図６はこの考案の第１実施例の変形例を示すものであり、第１実施例と異なるところは、バイパス２０に接続されるロックメカニズム３０を、ダイヤル錠や電子ロックに代えて、キーロック３５方式に変更したことである。
【実施例３】
【００１９】
　図７は、パラレルポートコネクタであり、これも本考案に適用できるセキュアリング装置である。この実施例においては、電子デバイスが二つの弾性フープ１２'で、固定具が前記フープ１２'と係合する二つのスロット２４'で、これは、パラレルポートコネクタの公式規格である。一般使用時、スロット２４'を有するコネクタが、前記パラレルポートコネクタに挿入されてから、パラレルポートコネクタ両側にある弾性フープ１２'を、図７の破線から矢印Ａの方向へ旋回し、コネクタのスロット２４'に係合する。
【００２０】
　この実施例においても、図３のロックメカニズムが使用されるが、ただ、ロックメカニズム３０のラッチ(図７，図８には表示せず)と係合する凹み２６'は、前記バイパス２０の突出柱２１上に設けられ、前記ロックメカニズム３０のラッチが施錠状態になる時、ラッチが、凹み２６'内に係合されて、実質的に上下移動が制限されるようになる。ロックメカニズム３０には、さらに、ストッパ部３９が設けられ、ロックメカニズム３０とバイパス２０とがロックされている時、前記ストッパ部３９が弾性フープ１２'とスロット２４'との接続する部位を覆うように、接続関係を解除することを防止する位置にある。
【００２１】
　図７の第３実施例によれば、まず、バイパス２０とコネクタ１０とを接続させてから、フープ１２'とスロット２４'とを係合する。この時、ロックメカニズム３０の凹み穴３２が、前記凹み２６'が設けられるバイパス２０の突出柱２１に覆わせ、ロックメカニズム３０が所定の位置に設置した後、ロックメカニズム３０が、施錠状態に変換され、図２のラッチ３４は、凹み'２６にロックされることにより、凹み２６'から離れることなく、ロックメカニズム３０とバイパス２０とがロックされる状態になる。ロックメカニズム３０とバイパス２０とがロックされた後、バイパス２０のスロット２４'が、ロックメカニズム３０から突出するストッパ部３９に覆われているため、ロックメカニズム３０が開錠状態に変換されない限り、ハウジング３１とバイパス２０とを分離することができず、これにより、バイパス２０とコンピュータ１上のコネクタ１０とをロックする目的が達成できる（図９参照）。
【００２２】
　このようにしてから、使用者は、図９のように、接続ユニット４０を例えば卓の脚のような固定物体７０に巻き回して、その一端に形成したリング体４２を通すことにより、コンピュータ１と固定物体７０とを一緒にロックするので、もはやコンピュータ１は簡単に移動することができない。　　
　さらに、使用者は、バイパスインタフェース２９を介してコネクタ１０と電気接続できるので、もとのコネクタ１０の機能が維持できる。
【実施例４】
【００２３】
　図１０，図１１は、本考案を応用するもう一つのロックメカニズムの実施例で、図２の実施例との差異は、この実施例のロックメカニズム３０が、引き抜き式ロック３０'と、接続ユニット４０を有する南京錠４１とから構成される点にある。前記引き抜き式ロック３０'にはハウジング３１があり、前記ハウジング３１には、ハウジング３１に対して相対的に移動する制御ユニット３８が設けられ、その上に第１のロックホール３８１が形成される。ハウジング３１と制御ユニット３８との間には、固定具２４を収納して覆う凹み穴３２が形成される。前記ハウジング３１には、さらに、もう一つの、第１のロックホール３８１と互補する第２のロックホール３０１が形成される。
【００２４】
　固定具２４には、凹み２６が設けられ、また、ロックメカニズム３０には、凹み２６に係着するラッチ３４がある。このより良い第４実施例においては、ラッチ３４は球体であり、また、前記凹み２６は、前記球体の形状がそれと相互に係合する半球状の凹みである。
【００２５】
　図１２のように、ロックメカニズム３０が開錠状態である時、制御ユニット３８がラッチ３４に当接しておらず、ロックメカニズム３０のラッチ３４は、実質的に自由に上下移動できる。また更に、制御ユニット３８を押し込んで、ロックメカニズム３０が施錠状態である時、ラッチ３４が凹み２６内に係合されていて、実質的に上下移動が制御ユニット３８によって、図１３に示すように制限される。この時、南京錠４１をロックホール３０１と３８１とに貫通させると、ハウジング３１とバイパス２０とが分離できず、バイパス２０とコンピュータ１上のコネクタ１０とをロックする目的が図１１、１３のように達成できる。
【００２６】
　このようにしてから、使用者は、南京錠４１の後端に設けられる接続ユニット４０を、図９のように、例えば卓の脚のような固定物体７０に巻き回して、その一端に形成したリング体４２を通すことにより、コンピュータ１と固定物体７０とを一緒にロックするので、もはやコンピュータ１は簡単に移動することができない。　　
　さらに、使用者は、バイパスインタフェース２９を介してコネクタ１０と電気接続できるので、元のコネクタ１０の機能が維持できる。
【実施例５】
【００２７】
　図１４は、本考案に従って、引き抜き式ロックを応用するもう一つのロックメカニズムを示す第５実施例で、図１０の実施例との差異は、この実施例のロックメカニズム３０が、引き抜き式ロック３０'と、接続ユニット４０を有する南京錠４１とから構成された点にある。前記引き抜き式ロック３０'には、ハウジング３１がある。
【００２８】
　この実施例と図１０の実施例との差異は、前記ハウジング３１自身が制御ユニットであり、その上に第１のロックホール３０１が形成されることである。ハウジング３１内には、固定具２４を収納して覆う凹み穴３２が形成される。バイパス２０には、フランジ２０１が延びていて、前記フランジ２０１には、さらに、第１のロックホール３１と相互に係合する第２のロックホール２０２が形成される。
【００２９】
　ハウジング３１が、フランジ２０１に対して相対的に移動する。ロックメカニズム３０が開錠状態である時、ハウジング３１は、固定具２４とフランジ２０１とから分離でき、図１４，図１６に示す状態となる。更に、ハウジング３１を押し込んで、ロックメカニズム３０が施錠状態になった時、ハウジング３１は、図７に示すように、固定具２４とフランジ２０１とを覆う構成となる。
　この状態で、南京錠４１をロックホール３０１と２０２に貫通させれば、ハウジング３１とバイパス２０とは分離できず、図１５，図１７に示すように、バイパス２０とコンピュータ１上のコネクタ１０とをロックする目的が達成できる。
【００３０】
　このようにしてから、使用者は、南京錠４１の後端に設けられる接続ユニット４０を、図９のように、例えば卓の脚のような固定物体７０に巻き回して、その一端に形成したリング体４２を通すことにより、コンピュータ１と固定物体７０とを一緒にロックするので、もはやコンピュータ１は簡単に移動することができない。　　
　更に、使用者は、バイパスインタフェース２９を介してコネクタ１０と電気接続できる状態となっており、元のコネクタ１０の機能が維持できる。
【実施例６】
【００３１】
　図１８は、本考案に従って、ロックメカニズムを応用するもう一つの第６実施例で、図２、図８，図１０，図１４の実施例との差異は、この実施例のロックメカニズム３０が、回転ロック３０"と、図２，図１０の接続ユニット４０を有する南京錠４１と、から構成されている点にある。
　前記回転ロック３０"にはハウジング３１があり、前記ハウジング３１には、ハウジング３１に対して相対的に旋回する制御ユニット３８が設けられ、その上に第１のロックホール３８１が形成される。ハウジング３１と制御ユニット３８との間には、固定具２４を収納して覆う凹み穴３２が形成される。前記ハウジング３１には、さらに、もう一つの、第１のロックホール３８１と相互に係合する第２のロックホール３０１が形成された構成となっている。
【００３２】
　固定具２４には、凹み２６が設けられ、また、ロックメカニズム３０には、凹み２６に係着するラッチ３４がある。このより良い第６実施例において、ラッチ３４は球体であり、また、前記凹み２６は、前記球体の形状がそれと相互に係合する半球状の凹みである。
【００３３】
　図１９の破線のように、ロックメカニズム３０が開錠状態である時、ラッチ３４は、制御ユニット３８上に形成される凹ホール３８２内に落ち込んで、制御ユニット３８がラッチ３４に当接せず、ロックメカニズム３０のラッチ３４は、実質的に自由に上下移動できる。また、制御ユニット３８のロックメカニズム３０を９０度に回転させて、ラッチ３４を凹ホール３８２から離させると、ラッチ３４が凹み２６内に係合され、実質的に上下移動が制御ユニット３８によって制限されることにより、ロックメカニズム３０が、図１８，図１９に示すように、施錠状態になる。こ状態で、南京錠４１をロックホール３０１と３８１に貫通させれば、ハウジング３１とバイパス２０とが分離できなくなり、バイパス２０とコンピュータ１上のコネクタ１０とをロックする目的が達成する。
　更に、使用者は、図２，図１０のように、バイパスインタフェース２９を介してコネクタ１０と電気接続できるので、元のコネクタ１０の機能が維持できる。
【００３４】
　本考案は、従来技術を超越する新規な装置であり、当業者であれば、本考案の実用新案登録請求の範囲内で他の特有の形式で容易に変更することも実現できるものであり、本考案の実用新案登録請求の範囲を逸脱しない限りにおいてなされた変更はすべて本考案に含まれるものであることは言うまでもない。
【図面の簡単な説明】
【００３５】
【図１】従来のノートブック型コンピュータの裏側の概念図。
【図２】本考案の第１実施例の立体分解概念図。
【図３】図２の実施例の立体組立概念図。
【図４】図２、３の実施例においてロックメカニズムが開錠状態である断面概念図。
【図５】図２、３の実施例においてロックが施錠状態である部分断面概念図。
【図６】本考案のより良い第２実施例の立体分解概念図。
【図７】本考案を他形式コネクタに応用する第３実施例の立体概念図。
【図８】図７の実施例の施錠状態を示す斜視図。
【図９】図３の第１実施例を固定物体に固定する状態の斜視図。
【図１０】本考案のもう一つのロックメカニズムのより良い第４実施例の立体分解概念図。
【図１１】図１０の第４実施例が施錠状態である立体概念図。
【図１２】図１０の第４実施例においてロックメカニズムが開錠状態である断面概念図。
【図１３】図１０の実施例においてロックメカニズムが施錠状態である断面概念図。
【図１４】本考案のもう一つのロックメカニズムのより良い第５実施例の立体分解概念図。
【図１５】図１４の第５実施例が施錠状態である立体概念図。
【図１６】図１４の第５実施例においてロックメカニズムが開錠状態である断面概念図。
【図１７】図１４の実施例においてロックメカニズムが施錠状態である断面概念図。
【図１８】本考案の、ロックメカニズムが施錠状態である、もう一つのロックメカニズムのより良い第６実施例の断面概念図。
【図１９】図１８の１９-１９線に沿う断面概念図。
【符号の説明】
【００３６】
１　　ノートブック型コンピュータ
２　　セキュアリング装置ピュータ
１０　コネクタ
１２　接続手段
１２'　フープ２０バイパス
２１　突出柱
２４　固定具
２４'　スロット
２６、２６'　凹み
２７　伝送線
２９　バイパスインタフェース
３０　ロックメカニズム
３０'　引き抜き式ロック
３０'　回転ロック
３１　　ハウジング
３２　凹み穴　
３４　ラッチ
３５　キーロック
３７　スプリング
３８　制御ユニット
３９　ストッパ部
４０　接続ユニット
４１　南京錠
４２　リング体
７０　固定物体
２０２　ロックホール
２０１　フランジ
３８２　凹ホール
【図１】
0003099606.tif 000003
【図２】
0003099606.tif 000004
【図３】
0003099606.tif 000005
【図４】
0003099606.tif 000006
【図５】
0003099606.tif 000007
【図６】
0003099606.tif 000008
【図７】
0003099606.tif 000009
【図８】
0003099606.tif 000010
【図９】
0003099606.tif 000011
【図１０】
0003099606.tif 000012
【図１１】
0003099606.tif 000013
【図１２】
0003099606.tif 000014
【図１３】
0003099606.tif 000015
【図１４】
0003099606.tif 000016
【図１５】
0003099606.tif 000017
【図１６】
0003099606.tif 000018
【図１７】
0003099606.tif 000019
【図１８】
0003099606.tif 000020
【図１９】
0003099606.tif 000021